(57)【要約】【課題】ケースの小型化、薄型化を十分に図ることができながらも、スピーカからの音声出力に伴う振動の発生を効果的に防止する。【解決手段】ロアケース２にアッパケース３を取付けてケース１を構成する。アッパケース３の上辺部に、２個の突出片９を設け、下辺部にフック１０を設ける。ロアケース２の上辺部に、突出片９が挿入される取付穴１１ａを有する２個の取付片部１１を設け、下辺部に、フック１０を引掛けて固定する弾性爪１２を設ける。アッパケース３の内側の左下部位にスピーカ５を取付け、その周囲を囲む補強リブ１３を設ける、アッパケース３の前面部の上辺部寄りに操作キー７を設ける。ロアケース２内の左辺部に、電池６を設ける。【選択図】図２
2011008503.tif 000002
【特許請求の範囲】
【請求項１】
全体として前後方向に薄型の矩形箱状をなし、後面が建物等の壁面に沿うように設置されるものであって、後面側を構成するロアケースの前面側に、アッパケースを着脱可能に取付けてなるケースと、
このケース内に設けられたスピーカ及び電池と、
前記アッパケースの前面部に設けられた押圧により入力する操作キーとを備えるセキュリティ端末装置において、
前記アッパケースには、上下辺部のうちのいずれか一辺部に、突出片が設けられていると共に、その反対側の他辺部にフックが設けられており、
前記ロアケースには、前記突出片が挿入される取付穴が設けられていると共に、前記フックが引掛けられて固定される弾性爪が設けられており、
前記操作キーは、前記アッパケースの前記一辺部寄りに位置しており、
前記スピーカは、前記アッパケースの内側の、前記他辺部のうち左右いずれかの端部寄りに取付けられていると共に、該アッパケースの内面部には、該スピーカを囲むように後方に延びる補強リブが設けられており、
前記電池は、前記ロアケースの左右の辺部のうちの、前記スピーカが配設されている側に位置して設けられていることを特徴とするセキュリティ端末装置。
【発明の詳細な説明】
【技術分野】
【０００１】
本発明は、前後方向に薄型の矩形箱状をなすケース内に、スピーカ及び電池を備えると共に、ケースの前面部に操作キーを備えるセキュリティ端末装置に関する。
【背景技術】
【０００２】
例えば家屋などの建物に設けられるセキュリティシステムにおいては、防災用、防犯用の各種のセンサやスイッチ等を建物の各部に設けると共に、建物（室内）の壁面にユーザ操作用のマンマシンセキュリティ端末装置を設けて構成されるものがある。前記セキュリティ端末装置は、ロアケースとアッパケースとからなり全体として前後方向に薄型の矩形箱状をなす合成樹脂製のケース内に、制御回路等の電気部品が実装された回路基板や、音声報知用のスピーカ、電力供給源となる電池（乾電池）等を配設して構成されている。また、ケース（アッパケース）の前面部には、防犯、防災に関する監視機能のオン、オフを、ユーザが設定操作するための操作キー（押ボタン）が設けられている。
【０００３】
このとき、前記スピーカからは、ユーザによる操作キーの操作時におけるセキュリティ状態を知らせる音声ガイダンスや、警告音が出力されるようになっている。そのため、スピーカからは大きな音声が出力されることがあり、その際に、ケースが振動していわゆるビビリ音が発生したり、ユーザが操作キーの操作時に振動を感じて不快に思ったり、装置の故障と勘違いしたりする不具合がある。そこで、従来では、一般的に、スピーカを有するケースに多数本の補強リブを設けることにより、ケースの振動の発生を抑制する構成が採用されている（例えば特許文献１参照）。
【先行技術文献】
【特許文献】
【０００４】
【特許文献１】特開２００５−３２３９１４号公報
【発明の概要】
【発明が解決しようとする課題】
【０００５】
しかしながら、上記したようなセキュリティ端末装置にあっては、ケース（全体）の小型化、薄型化が図られてきており、内部構造の制約上、ケースの振動防止のために、特許文献１に開示されたような多数本の補強リブを設ける構成を採用することができない事情がある。つまり、ケースの振動防止のために、単純に補強リブを設ける本数を多くすることに代わる、別の対策が要望されるのである。
【０００６】
また、セキィリティ装置のケースは特殊鍵で施錠されていることから、この特殊鍵を有しないものにはケース開放が出来ない仕様になっており、安全が担保されている。しかし、その分だけこのセキュリティ装置をメンテナンスする正規メンテナンス者に対しても鍵の開錠という手間を与えることになるので、メンテナンスの容易化のために鍵の開錠が行われた以降は、開閉を容易にするために突出片とフックによりケース開閉を行うようにして開閉動作は容易にできるようにしている。
【０００７】
本発明は上記事情に鑑みてなされたもので、その目的は、上記鍵開錠後は突出片とフックを操作するだけで容易にケースが開閉できることを維持しつつ、ケースの小型化、薄型化を十分に図ることができながらも、スピーカからの音声出力に伴う振動の発生を効果的に防止することができるセキュリティ端末装置を提供するにある。
【課題を解決するための手段】
【０００８】
上記目的を達成するために、本発明者は、スピーカを内蔵するセキュリティ端末装置のケースの振動防止のために該ケースに設ける補強リブを必要最低限とし、それ以外の、部品配置の工夫等によって振動の防止を図ることを様々試みた。そして、操作キー、スピーカ、重量物である電池の、振動防止に最適なレイアウトを見出して、本発明を成し遂げるに至ったのである。
【０００９】
即ち、前記操作キーは、前記アッパケースの前記突出片部がある辺寄りに位置することになり、当然操作キーは押圧される存在であることから、支えが有る方が安定する。そして安定している押圧キーならば余り力を入れなくても十分な入力ができる。よって、操作者の押圧キーへの１回の入力におけるタッチ時間やタッチ力を少なく出来るので、操作キーに伝わってくる振動そのものを感じ難くなる。
【００１０】
そして、前記スピーカは、前記アッパケースの内側の、前記他辺部のうち左右いずれかの端部寄りに電池と共に取付けられている。このような場合の電池はスピーカを鳴らす他に入力受付電力となり、しかも長期間その機能を維持することを要求されるものであることから、重さとしては少なくとも単３電池１本よりは重くなる。よって、スピーカから大きな音が出て振動が発生しても、まず最初にスピーカ周辺を振動させることになることから、単３電池１本以上重さを振動させなければいけないことになる。しかし、単３電池１本以上の重さは、発生する振動にとっては非常に重い負荷になることから、振動エネルギーを無駄に消費することになる。その結果として、スピーカ周辺から展開されて行く振動の大きさは音の割に小さいものとなる。
【００１１】
更に、該アッパケースの内面部には、該スピーカを囲むように後方に延びる補強リブが設けられていることから、更にスピーカ周辺から展開されて行く振動は、ここでも補強リブを振動させるために無駄に振動エネルギーを消費してしまう。
【００１２】
これらの結果、スピーカから大きな音が発生し、それに比例する振動が発生しても、操作キーに到達するころには多くの振動エネルギーを消費した振動発生震源地に比べれば比較的小さな振動となり、しかも操作者が操作キーを触る時間や力も減少している状態であることから、操作者は振動余り感じない、つまり、操作者からしてみれば振動が防止されているような状態を作り出すことができる。
【図面の簡単な説明】
【００１３】
【図１】本発明の一実施例を示すもので、セキュリティ端末装置のケースの正面図（ａ）及び底面図（ｂ）
【図２】ケースの概略的な分解斜視図
【図３】アッパケースの内面を示す背面図
【図４】突出片部分（ａ）及びフック部分（ｂ）の拡大斜視図
【図５】ロアケースの正面図（ａ）並びに上面図（ｂ）及び底面図（ｃ）
【図６】取付穴部分（ａ）及び弾性爪部分（ｂ）の拡大斜視図
【図７】フックと弾性爪との結合構造を示す要部の縦断左側面図
【発明を実施するための形態】
【００１４】
以下、本発明を具体化した一実施例について、図面を参照しながら説明する。ここで、図示はしないが、例えば家屋などの建物に設けられるセキュリティシステムは、防災用、防犯用の各種のセンサやスイッチ等を建物の各部に設けると共に、建物（室内）の壁面にユーザ操作用のセキュリティ端末装置を設けて構成される。図１は、本実施例に係るセキュリティ端末装置の外殻を構成するケース１の外観構成を概略的に示している。
【００１５】
このケース１は、共にプラスチック製のロアケース２の前面側にアッパケース３（図２等参照）を取付けて構成され、全体として前後方向に薄型の矩形箱状をなしている。ちなみに、このケース１の外形寸法は、縦横が例えば１００×１００ｍｍ、前後の奥行きが例えば２２ｍｍとされている。尚、このセキュリティ端末装置（ケース１）は、前記ロアケース２の裏面側を後面側として、つまりアッパケース３の前面を室内に向けて、室内の壁面に設置される。従って、以下、前後、左右、上下の方向をいう場合には、セキュリティ端末装置（ケース１）が室内の壁面に設置された状態を基準とする。
【００１６】
前記アッパケース３は、図２及び図３に示すように、矩形（正方形）板状をなす前面壁部の四辺部から後方に延びる周壁部３ａを一体に有して構成されている。また、前記ロアケース２は、図２及び図５に示すように、同等の大きさの矩形（正方形）板状をなす後面壁部の四辺部から前方に延びる周壁部２ａを一体に有して構成されている。これらロアケース２とアッパケース３とは、周壁部２ａと周壁部３ａとを突合せるようにして着脱可能に結合されるのであるが、その結合構造については後述する。
【００１７】
図２に示すように、前記ケース１内には、制御回路等の電気部品（図示せず）が実装された回路基板４や、音声報知用のスピーカ５、電力供給源となる電池６等が配設される。前記電池６としては、充電可能なバッテリ、乾電池、アダプタ等が含まれ、ケース１内に設けられる他の部品等に比べて比較的重量が大きい重量物となっている。また、図１（ａ）にも示すように、ケース１（アッパケース３）の前面部には、防犯、防災に関する監視機能のオン、オフを、ユーザが設定操作するためのモード設定用の操作キー（押ボタン）７が設けられている。それら各部品の配置についても後述する。
【００１８】
ここで、前記ロアケース２にアッパケース３を着脱可能に取付けるための結合構造について述べる。まず、前記アッパケース３には、図３及び図４（ａ）に示すように、その周壁部３ａの上下辺部のうちいずれか一辺部この場合上辺部に、２個の突出片９，９が、左右両端部寄りに位置して設けられている。これら突出片９，９は、周壁部３ａの上辺部の、後縁部から下方に凸となるようにして、該アッパケース３に一体に設けられている。
【００１９】
そして、図３及び図４（ｂ）に示すように、アッパケース３の周壁部３ａのうち反対側の他辺部である下辺部には、左右方向中央部に位置して、左右一対のフック１０，１０が設けられている。これらフック１０，１０は、図７にも示すように、周壁部３ａの下辺部の、後縁部から上方に凸となるようにして、該アッパケース３に一体に設けられている。尚、これらフック１０，１０の先端部（上端部）には、後面側に位置して、後述する弾性爪との係合を容易にするための斜面部１０ａが形成されている。
【００２０】
これに対し、前記ロアケース２には、図５（ａ），（ｂ）及び図６（ａ）に示すように、その周壁部２ａのうちの上辺部に、前記アッパケース３の２個の突出片９，９に対応して、取付片部１１，１１が一体に設けられている。これら各取付片部１１，１１は、周壁部２ａから前方に突出し、前記突出片９，９が上方から挿入可能な矩形状の取付穴１１ａ，１１ａが上下方向に貫通するように形成されている。
【００２１】
さらに、図５（ａ），（ｃ）及び図６（ｂ）に示すように、前記ロアケース２の周壁部２ａの下辺部の内側（やや上側）部分には、左右方向中央部に位置して、左右一対の弾性爪１２，１２が一体に設けられている。これら弾性爪１２，１２は、図６（ｂ），図７に示すように、ロアケース２の内面から前方に突出する弾性変形可能な薄い板状部の先端（前端）に、前記各フック１０，１０を前方への抜止め状態に係止する鉤状部１２ａ，１２ａを有して構成されている。鉤状部１２ａ，１２ａの下面側前端部には、前記フック１０，１０の（係止）通過を容易にするための傾斜面１２ｂ，１２ｂが形成されている。
【００２２】
これにて、ロアケース２にアッパケース３を取付けるにあたっては、まず、アッパケース３の上辺部の２個の突出片９，９を、ロアケース２の上辺部の２個の取付片部１１，１１の各取付穴１１ａ，１１ａに対し、上方から差込むようにして挿入させる。次いで、アッパケース３の下辺部を、ロアケース２の下辺部の弾性爪１２、１２の下側に押込むようにして、それら弾性爪１２、１２を弾性変形させながらフック１０，１０を乗り越えさせて、図７に示すように、フック１０，１０を鉤状部１２ａ，１２ａに係合させる。これにより、ロアケース２に対しアッパケース３が、ねじ止め等を用いることなく取付けられるようになっているのである。
【００２３】
尚、図示は省略しているが、上記ケース１には特殊鍵により施錠、開錠されるロック機構が設けられており、特殊鍵を有しないものにはケース１（アッパケース３）の開放ができない仕様になっており、安全が担保されている。正規メンテナンス者が鍵開錠を行った後は、突出片９，９とフック１０，１０とを操作するだけで、容易にアッパケース３の開閉を行うことができる。
【００２４】
さて、以上のような結合構造を有するケース１に対して、上記スピーカ５、電池６等の部品は、次のように配設されている。即ち、図１及び図２に示すように、まず前記スピーカ５は、前記アッパケース３の内側の、他辺部（下辺部）の左右いずれかの端部寄り、この場合左端部寄り部位（左下の隅部部分）に位置して、前向きに密着するように取付けられている。このとき、図３にも示すように、前記アッパケース３の内面部には、前記スピーカ５の上側及び右側に位置して、前記周壁部３ａと共に該スピーカ５を囲むように後方に延びて、補強リブ１３が一体に設けられている。
【００２５】
また、アッパケース３の前面部に設けられる操作キー７は、やや横長の矩形板状をなし、アッパケース３の上辺部寄りの中央部に、つまり前記スピーカ５から遠い位置に設けられている。この場合、図３にも示すように、アッパケース３の前面壁部には、前記操作キー７が配置される開口部３ｂが形成されており、図示はしないが、前記操作キー７は、アッパケース３の内面側においてヒンジにより押圧操作可能に弾性支持（押圧操作力を解除すれば元に戻る）されている。
【００２６】
一方、図２に示すように、ロアケース２内には、前記電池６が、その左辺部に位置して上下方向全体にわたって（２段に）設けられている。つまり、電池６は、ロアケース２の左右の辺部のうちの、前記スピーカ５が配設されている側に位置して設けられている。また、ロアケース２内には、前記電池６の右側に位置して、前記回路基板４が配設されている。図示はしないが、この回路基板４には、前記操作キー７によってオン・オフ動作されるタクトスイッチなどのスイッチが実装されている。
【００２７】
次に、上記構成の作用について述べる。まず、上記ケース１の結合構造において、アッパケース３の上辺部に設けられた突出片９，９を、ロアケース２に設けられた取付片部１１、１１の取付穴１１ａ，１１ａに挿入し、アッパケース３の下辺部に設けられたフック１０，１０を、ロアケース２に設けられた弾性爪１２，１２に引掛けて固定する構成を採用したので、鍵開錠後は突出片９，９とフック１０，１０とを操作することにより、容易にケース１を開閉することができる。
【００２８】
ここで、前記スピーカ５からは、ユーザによる操作キー７の操作時におけるセキュリティ状態を知らせる音声ガイダンスや、警告音等が比較的大きな音声で出力されるのであるが、このスピーカ５は、アッパケース３の内側の、下辺部側の左右いずれかの端部寄りこの場合左辺部側に電池６と共に設けられている。このような場合の電池６はスピーカ５を鳴らす他に入力受付電力となり、しかも長期間その機能を維持することを要求されるものであることから、重さとしては少なくとも単３電池１本よりは重くなる。
【００２９】
よって、スピーカ５から大きな音が出て振動が発生しても、まず最初にスピーカ５周辺を振動させることになることから、単３電池１本以上重さを振動させなければいけないことになる。しかし、単３電池１本以上の重さは、発生する振動にとっては非常に重い負荷になることから、振動エネルギーを無駄に消費することになる。その結果として、スピーカ５周辺から展開されて行く振動の大きさは音の割に小さいものとなる。
【００３０】
更に、アッパケース３の内面部に、スピーカ５を囲むように後方に延びる補強リブ１３を設けたので、更にスピーカ５周辺から展開されて行く振動は、ここでも補強リブ１３を振動させるために無駄に振動エネルギーを消費してしまう。この場合、電池６による振動抑制の効果が得られることにより、補強リブ１３を設ける数（量）を徒に多くすることなく、必要最低限で済ませることができ、ひいてはケース２全体の大型化を抑えることができ、ケース１の製造コストを安価に抑えることができる。
【００３１】
次に、操作キー７は、アッパケース３の上辺部寄り、つまりスピーカ５から離れ且つ突出片９がある辺寄りに位置することになり、当然操作キー７は押圧される存在であることから、支えが有る方が安定する。そして安定している操作キー７ならば余り力を入れなくても十分な入力ができる。よって、操作者の操作キー７への１回の入力におけるタッチ時間やタッチ力を少なく出来るので、操作キー７に伝わってくる振動そのものを感じ難くなる。
【００３２】
これらの結果、スピーカ５から大きな音が発生し、それに比例する振動が発生しても、操作キー７に到達するころには多くの振動エネルギーを消費した振動発生震源地に比べれば比較的小さな振動となり、しかも操作者が操作キー７を触る時間や力も減少している状態であることから、操作者は振動余り感じない、つまり、操作者からしてみれば振動が防止されているような状態を作り出すことができる。
【００３３】
このように本実施例のセキュリティ端末装置によれば、鍵開錠後は突出片９とフック１０を操作するだけで容易にケース１が開閉できることを維持しつつ、振動防止のためにケース１に設ける補強リブ１３を必要最低限とし、ケース１の小型化、薄型化を十分に図ることができる。そして、操作キー７、スピーカ５、電池６等のレイアウトによって、スピーカ５からの音声出力に伴う振動の発生を効果的に防止することができ、ひいては、ケース１が振動していわゆるビビリ音が発生したり、ユーザが操作キー７の操作時に振動を感じて不快に思ったり、装置の故障と勘違いしたりする不具合を解消することができるものである。
【００３４】
尚、上記実施例では、ケース１の上辺部側に突出片９及び取付片部１１（取付穴１１ａ）を設け、下辺部側にフック１０及び弾性爪１１を設けるように構成したが、それらを上下逆にした、下辺部側に突出片９及び取付片部１１を配置し、上限部側にフック１０及び弾性爪１１を配置した結合構造としても良い。その結合構造を採用した場合には、スピーカをアッパケースの上部に配置し、操作キーをアッパケースの前面部の下部寄り部位に配置することにより、上記実施例と同様の作用効果を得ることができる。
【００３５】
また、上記実施例では、スピーカ５及び電池６をケース１の左辺側に配置するようにしたが、ケース１内における各部品の配置を左右逆にしても良い。その他、突出片９、フック１０、取付片部１１、弾性爪１２を設ける位置や個数、形状などについても、種々の変形例が容易に考えられる等、本発明は上記した実施例に限定されるものではなく、要旨を逸脱しない範囲内で適宜変更して実施し得るものである。
【符号の説明】
【００３６】
図面中、１はケース、２はロアケース、３はアッパケース、５はスピーカ、６は電池、７は操作キー、９は突出片、１０はフック、１１は取付片部、１１ａは取付穴、１２は弾性爪、１３は補強リブを示す。
【図１】
2011008503.tif 000003
【図２】
2011008503.tif 000004
【図３】
2011008503.tif 000005
【図４】
2011008503.tif 000006
【図５】
2011008503.tif 000007
【図６】
2011008503.tif 000008
【図７】
2011008503.tif 000009